(57)【要約】【課題】  植木鉢に対する給水器として機能並びに実用性は十分である一方、その植木鉢のアクセサリーやアクセントなどとしても機能する装飾性をも備えた給水器付きの植木鉢を提供すること。【解決手段】  植木鉢１の上縁乃至外周に、給水器３のセット部２を形成する一方、該セット部２にセットされる給水器３は、内部に水Ｗが収容できる中空部を備えた人形，動物，乗物等の形象物の外形に形成し、当該形状物の前記植木鉢１の内側に向った面に水の注出部3aを設けると共に、その形象物の一部に、押圧すると変形する弾力性のあるキャップ3cを当該形象物の中空部に連通させて設け、更に、前記セット部２と形象物のセット時の対向面に、磁石や面ファスナによる係着具7a，7bを配置したこと。【選択図】図２
0003109857.tif 000002
【実用新案登録請求の範囲】
【請求項１】
植木鉢の上縁乃至外周に、給水器のセット部を形成する一方、該セット部にセットされる給水器を、内部に水が収容できる中空部を備えた人形，動物，乗物等の形象物の外形に形成し、当該形象物の前記植木鉢の内側に向った面に水の注出部を設けると共に、その形象物の一部に、押圧すると変形する弾力性のあるキャップを当該形象物の前記中空部に連通させて設け、更に、前記セット部と形象物のセット時の対向面に、磁石や面ファスナによる係着具を配置したことを特徴とする装飾給水器付き植木鉢。
【請求項２】
給水器は、小便小僧人形の外観に形成し、水を注出させるキャップは前記人形の帽子として形成した請求項１の植木鉢。
【請求項３】
植木鉢と給水器は、そのいずれか一方又は双方を陶磁器，プラスチック，ガラス，金属，木，竹のいずれかの材料により形成した請求項1又は２の植木鉢。
【考案の詳細な説明】
【技術分野】
【０００１】
本考案は植木鉢に対してアクセサリーやアクセントなどとして装飾性を発揮する給水器を着脱自在に備えた植木鉢に関する。
【背景技術】
【０００２】
従来から給水機能を備えた植木鉢は、特許文献１〜４など始めとし、多数の提案がなされており、これらの中には実用に供されているものもある。
【０００３】
しかし、従来の給水器付き植木鉢は、実用性一点張りで興趣に欠ける憾があった。
【特許文献１】特開２００３−１６５０７７号公報
【特許文献２】特開２００３−１１１５２３号公報
【特許文献３】特開２００２−１９９８２２号公報
【特許文献４】特開２０００−６０３２７号公報
【考案の開示】
【考案が解決しようとする課題】
【０００４】
そこで本考案では植木鉢に対する給水器として機能並びに実用性は十分である一方、その植木鉢のアクセサリーやアクセントなどとしても機能する装飾性をも備えた給水器付きの植木鉢を提供することを課題とする。
【課題を解決するための手段】
【０００５】
上記課題を解決することを目的とした本考案植木鉢の構成は、植木鉢の上縁乃至外周に、給水器のセット部を形成する一方、該セット部にセットされる給水器は、内部に水が収容できる中空部を備えた人形，動物，乗物等の形象物の外形に形成し、当該形状物の前記植木鉢の内側に向った面に水の注出部を設けると共に、その形象物の一部に、押圧すると変形する弾力性のあるキャップを当該形象物の中空部に連通させて設け、更に、前記セット部と形象物のセット時の対向面に、磁石や面ファスナによる係着具を配置したことを特徴とするものである。
【考案の効果】
【０００６】
本考案植木鉢は、給水器に、人形や動物などの具体的形象物の形態を採用して給水器の外見上の興趣を高める一方、給水器のセット部に、磁石や面ファスナなどによる係着具を設けて給水器の植木鉢への装着を安定にできると共に、給水器の着脱を自在としたので、実用上も至って便利である。
【考案を実施するための最良の形態】
【０００７】
次に本考案植木鉢の実施の形態例について、図を参照して説明する。図１は本考案植木鉢の一例の斜視図、図２は図１の植木鉢の縦断側面図である。
【０００８】
図において、１は陶磁器やプラスチックなどにより形成した植木鉢で、図の例では上部縁に、平面略円形をなす台状のセット部２が形成されている。セット部２の設定位置は植木鉢の外周上に採択することもできる。このセット部２は、後に説明する給水器３が載置されてセットされる部位である。なお、４は植木鉢１の下に敷いた受皿、５は鉢に収容した培土、６は培土５に植栽した適宜の植物である。
【０００９】
本考案植木鉢１にセットされる給水器３は、図示した例では、陶磁器やプラスチックなどによりいわゆる小便小僧の外観形態であって内部を中空に形成されており、下腹部に水の注出口3aを形成すると共に、頭頂部に水の入口3bを形成し、入口3bにはゴム又はプラスチック製の柔軟で弾力性のある帽子状のキャップ3cが被せられている。なお、上記の植木鉢１や給水器３は、その一方又は双方をガラスや金属、或は、木や竹で形成することができる。また、キャップ3cの位置は入口3bが背中や胸などに形成されれば、それに見合った形態のキャップ3cを当該入口3bに装着することとなる。
【００１０】
7a，7bは、図の例では、セット部２の上面と給水器３の下面、即ちセット時の両者の対向面にそれぞれ埋設した磁石による係止具であり、給水器３をそのセット部２に着脱式で固定保持するためのものである。この係止具7a，7bには、前記磁石に代えて、或は、併用して面ファスナの雌雄部材を用いることもできる。
【００１１】
上記給水器３は、植木鉢１のセット部２から取外してキャップ3cを取り、水の入口3bから内部に水Ｗを入れてキャップ3cを施すと、注出口3aから水Ｗが出ることはないので、この状態で植木鉢１のセット部２に載置してセットする。この載置によるセットは、給水器３とセット部２の磁石による係止具7a，7bが吸着し合うことにより固定される。
【００１２】
植木鉢１に水を遣る場合には、キャップ3cを指先で摘むなどして押圧すると、丁度、スポイドと同様に給水器３の内部の水Ｗが、その注出口3aから吐出されるので、植木鉢１の培土５に水遣りを実行することができる。
【００１３】
本考案植木鉢においては、上記給水器３の形態を、小便小僧以外の例えばパンダ等の動物、或は、消防自動車や著名タワーなどの具体的な形象物を型どったものにすることにより、より興趣を高めたり、異なる趣きの給水器付き植木鉢を形成することができる。
【産業上の利用可能性】
【００１４】
本考案は以上の通りであって、給水器付きの植木鉢を、植木鉢の縁乃至外周に、給水器のセット部を形成する一方、該セット部にセットされる給水器を、内部に水が収容できる中空部を備えた人形，動物，乗物等の形象物の外形に形成し、当該形状物の前記植木鉢の内側に向った面に水の注出部を設けると共に、その形象物の一部に、押圧すると変形する弾力性のあるキャップを当該形象物の中空部に連通させて設け、更に、前記セット部と形象物の対向面に、磁石や面ファスナによる係着具を配置して形成したので、従来の実用性一点張の給水器付き植木鉢に比べ、きわめて趣味性の高い、見た目にも楽しい植木鉢を提供することができる。
【図面の簡単な説明】
【００１５】
【図１】本考案植木鉢の一例の斜視図。
【図２】図１の植木鉢の縦断側面図。
【符号の説明】
【００１６】
１        植木鉢
２        セット部
３        給水器
3a        水の注出口
3b        水の入口
3c        キャップ
7a，7b    係止具
【図１】
0003109857.tif 000003
【図２】
0003109857.tif 000004